(57)【特許請求の範囲】
【請求項１】
折り手段を介して前板を覆う縁折板が該前板の上端縁に連接して、回動手段を該縁折板に該前板から該折り手段を介して該縁折板に渡るまでの間で該前板のつまみ板の略端部と接しない形態でそれぞれ設けた切れ目あるいは切り込みと該切れ目あるいは切り込みが該回動手段を中心にして該縁折板、該つまみ板が回動したときに繋がる形態で設けたことを特徴とするフィルム収納箱。
【請求項２】
折り手段を介して前板を覆う縁折板が該前板の上端縁に連接して、回動手段を該縁折板に該前板から該折り手段を介して該縁折板に渡るまでの間で該前板のつまみ板の略端部と点で接しない形態でそれぞれ設けた切れ目あるいは切り込みと該切れ目あるいは切り込みが該回動手段を中心にして該縁折板、該つまみ板が回動したときに繋がる形態で設けたことを特徴とするフィルム収納箱。
【請求項３】
折り手段を介して前板を覆う縁折板が該前板の上端縁に連接して、回動手段を該縁折板に該前板から該折り手段を介して該縁折板に渡って該前板のつまみ板の略端部と接する形態でそれぞれ設けた切れ目あるいは切り込みと該切れ目あるいは切り込みが該回動手段を中心にして該縁折板、該つまみ板が回動したときに繋がる形態で設けたことを特徴とするフィルム収納箱。
【請求項４】
該縁折板が該前板に貼り合わせて有ることを特徴とする請求項１〜３記載のフィルム収納箱。
【請求項５】
フィルムがラップフィルムであることを特徴とする請求項１〜４記載のフィルム収納箱。
【発明の詳細な説明】
【技術分野】
【０００１】
本発明はフィルム収納箱に係わる。
【背景技術】
【０００２】
特許文献１においては書類より収納箱側に切れ残ったフィルム先端部をつまみ易くするためのつまみ片が予め前板から浮き上がっており、その浮き上がりが長期間維持されるというところで本発明と目的を異にし、又、書類より本発明と構成を異にする。
【０００３】
特許文献２においては書類より包装用フィルムに対する異物の付着を防止するというところで本発明と目的を異にし、又、書類より本発明と構成を異にする。
【先行技術文献】
【特許文献】
【０００４】
【特許文献１】特許第４４０８１３９号公報
【特許文献２】特許第４３２６４３１号公報
【発明の概要】
【発明が解決しようとする課題】
【０００５】
フィルム収納箱の蓋を開いた形態で前記フィルム収納箱の前板のつまみ板の表面に有するフィルム仮留め部に仮留めして有るフィルムの先端部をつまむときに前記仮留めして有るフィルムの先端部が前記前板に付いて、前記仮留めして有るフィルムの先端部をつまみにくいときがあるという短所があった。又、前記つまみにくいときに前記つまみ板の略端部に引っ掛けて前記つまみ板を前記前板と前記フィルム収納箱の縁折板を介する折り手段を中心にして回動する。そのときに前記つまみ板の略端部に引っ掛けにくいときがあるという短所があった。
【課題を解決するための手段】
【０００６】
折り手段を介して前板を覆う縁折板が該前板の上端縁に連接して、回動手段を該縁折板に該前板から該折り手段を介して該縁折板に渡るまでの間で該前板のつまみ板の略端部と接しない形態でそれぞれ設けた切れ目あるいは切り込みと該切れ目あるいは切り込みが該回動手段を中心にして該縁折板、該つまみ板が回動したときに繋がる形態で設けたことを特徴とする。
【０００７】
折り手段を介して前板を覆う縁折板が該前板の上端縁に連接して、回動手段を該縁折板に該前板から該折り手段を介して該縁折板に渡るまでの間で該前板のつまみ板の略端部と点で接しない形態でそれぞれ設けた切れ目あるいは切り込みと該切れ目あるいは切り込みが該回動手段を中心にして該縁折板、該つまみ板が回動したときに繋がる形態で設けたことを特徴とする。
【０００８】
折り手段を介して前板を覆う縁折板が該前板の上端縁に連接して、回動手段を該縁折板に該前板から該折り手段を介して該縁折板に渡って該前板のつまみ板の略端部と接する形態でそれぞれ設けた切れ目あるいは切り込みと該切れ目あるいは切り込みが該回動手段を中心にして該縁折板、該つまみ板が回動したときに繋がる形態で設けたことを特徴とする。
【０００９】
該縁折板が該前板に貼り合わせて有ることを特徴とする。
【００１０】
フィルムがラップフィルムであることを特徴とする。
【発明の効果】
【００１１】
本発明は、折り手段を介して前板を覆う縁折板が該前板の上端縁に連接して、回動手段を該縁折板に該前板から該折り手段を介して該縁折板に渡るまでの間で該前板のつまみ板の略端部と接しない形態でそれぞれ設けた切れ目あるいは切り込みと該切れ目あるいは切り込みが該回動手段を中心にして該縁折板、該つまみ板が回動したときに繋がる形態で設けたことで、フィルム収納箱の蓋を開いた形態で該縁折板を押すと、該縁折板を押したことと連動して該回動手段を中心にして該縁折板、該つまみ板が回動して突出するため、フィルム収納箱において、簡単に該つまみ板の表面に有するフィルム仮留め部に仮留めして有るフィルムの先端部をつまむことができる。
【００１２】
又、本発明は、折り手段を介して前板を覆う縁折板が該前板の上端縁に連接して、回動手段を該縁折板に該前板から該折り手段を介して該縁折板に渡るまでの間で該前板のつまみ板の略端部と点で接しない形態でそれぞれ設けた切れ目あるいは切り込みと該切れ目あるいは切り込みが該回動手段を中心にして該縁折板、該つまみ板が回動したときに繋がる形態で設けたことで、フィルム収納箱の蓋を開いた形態で該つまみ板を押すと、該つまみ板を押したことと連動して前記点で接しない部分、該切れ目あるいは切り込みの順にそれぞれ破断してあるいは前記点で接しない部分をそれぞれ破断して、該回動手段を中心にして該縁折板、該つまみ板が回動して、該縁折板を押すと、該縁折板を押したことと連動して該回動手段を中心にして該縁折板、該つまみ板が回動して突出するため、フィルム収納箱において、簡単に該つまみ板に付いているフィルムの先端部をつまむことができる。
【００１３】
又、本発明は、折り手段を介して前板を覆う縁折板が該前板の上端縁に連接して、回動手段を該縁折板に該前板から該折り手段を介して該縁折板に渡って該前板のつまみ板の略端部と接する形態でそれぞれ設けた切れ目あるいは切り込みと該切れ目あるいは切り込みが該回動手段を中心にして該縁折板、該つまみ板が回動したときに繋がる形態で設けたことで、フィルム収納箱の蓋を開いた形態で該つまみ板を押すと、該つまみ板を押したことと連動して該切れ目あるいは切り込みをそれぞれ破断してあるいは前記それぞれ破断することがなく、該回動手段を中心にして該縁折板、該つまみ板が回動して、該縁折板を押すと、該縁折板を押したことと連動して該回動手段を中心にして該縁折板、該つまみ板が回動して突出するため、フィルム収納箱において、簡単に該つまみ板に付いているフィルムの先端部をつまむことができる。
【００１４】
又、本発明は、該縁折板が該前板に貼り合わせて有ることで、それぞれ前記つまむことができる。
【００１５】
又、本発明は、フィルムがラップフィルムであることで、ラップフィルムにおいて、それぞれ前記つまむことができる。
【００１６】
又、本発明は低コストで実現することができるため、材料費のコストダウンを図ることができる。
【図面の簡単な説明】
【００１７】
【図１】蓋を開いた形態の本発明の実施例１のフィルム収納箱の外観図
【図２】図１の本発明の実施例１のフィルム収納箱のA−A断面図
【図３】図１の本発明の実施例１のフィルム収納箱のB−B断面図
【図４】縁折板を押すと、前記縁折板を押したことと連動して前記縁折板に設けた回動手段を中心にして前記縁折板、折り手段を介して前記縁折板に連接する前板のつまみ板が回動して突出したときの図１の本発明の実施例１のフィルム収納箱の外観図
【図５】図４の本発明の実施例１のフィルム収納箱のC−C断面図
【図６】蓋を開いた形態の本発明の実施例２のフィルム収納箱の外観図
【図７】図６の本発明の実施例２のフィルム収納箱のＤ−Ｄ断面図
【図８】図６の本発明の実施例２のフィルム収納箱のＥ−Ｅ断面図
【図９】前板のつまみ板を押すと、前記つまみ板を押したことと連動して前記前板から折り手段を介して前記前板に連接する縁折板に渡るまでの間で前記つまみ板の略端部と点で接しない部分、前記点で接しない形態でそれぞれ設けた切れ目あるいは切り込みの順にそれぞれ破断してあるいは前記点で接しない部分をそれぞれ破断して、前記縁折板に設けた回動手段を中心にして前記縁折板、前記つまみ板が回動して、前記縁折板を押すと、前記縁折板を押したことと連動して前記回動手段を中心にして前記縁折板、前記つまみ板が回動して突出したときの図６の本発明の実施例２のフィルム収納箱の外観図
【図１０】図９の本発明の実施例２のフィルム収納箱のＦ−Ｆ断面図
【図１１】蓋を開いた形態の本発明の実施例３のフィルム収納箱の外観図
【図１２】図１１の本発明の実施例３のフィルム収納箱のＧ−Ｇ断面図
【図１３】図１１の本発明の実施例３のフィルム収納箱のＨ−Ｈ断面図
【図１４】前板のつまみ板を押すと、前記つまみ板を押したことと連動して前記前板から折り手段を介して前記前板に連接する縁折板に渡って前記つまみ板の略端部と接する形態でそれぞれ設けた切れ目あるいは切り込みをそれぞれ破断してあるいは前記それぞれ破断することがなく、前記縁折板に設けた回動手段を中心にして前記縁折板、前記つまみ板が回動して、前記縁折板を押すと、前記縁折板を押したことと連動して前記回動手段を中心にして前記縁折板、前記つまみ板が回動して突出したときの図１１の本発明の実施例３のフィルム収納箱の外観図
【図１５】図１４の本発明の実施例３のフィルム収納箱のＩ−Ｉ断面図
【図１６】蓋を開いた形態の従来のフィルム収納箱の外観図
【図１７】図１６の従来のフィルム収納箱のＪ−Ｊ断面図
【図１８】図１６の従来のフィルム収納箱のＫ−Ｋ断面図
【図１９】前板のつまみ板を前記前板と縁折板を介する折り手段を中心にして回動したときの図１６の従来のフィルム収納箱の外観図
【図２０】図１９の従来のフィルム収納箱のＬ−Ｌ断面図
【図２１】蓋を開いた形態の従来のフィルム収納箱の外観図
【図２２】図２１の従来のフィルム収納箱のＭ−Ｍ断面図
【図２３】図２１の従来のフィルム収納箱のＮ−Ｎ断面図
【図２４】前板のつまみ板を前記前板と縁折板を介する折り手段を中心にして回動したときの図２１の従来のフィルム収納箱の外観図
【図２５】図２４の従来のフィルム収納箱のＯ−Ｏ断面図
【発明を実施するための形態】
【００１８】
本発明を実施するための形態を各図を参照して説明する。
本発明は、折り手段８を介して前板４を覆う縁折板５が該前板４の上端縁に連接して、回動手段９を該縁折板５に該前板４から該折り手段８を介して該縁折板５に渡るまでの間で該前板４のつまみ板６の略端部と接しない形態でそれぞれ設けた切れ目あるいは切り込み１０と該切れ目あるいは切り込み１０が該回動手段９を中心にして該縁折板５、該つまみ板６が回動したときに繋がる形態で設けたフィルム収納箱である。本発明の素材は紙、樹脂、金属などにしてもよい。又、該折り手段８は折り線、折り目線、ミシン目、ハーフカットなどを設けた部分、前記折り線、前記折り目線、前記ミシン目、前記ハーフカットなどを設けた部分と前記折り線、前記折り目線、前記ミシン目、前記ハーフカットなどを設けていない部分、前記折り線、前記折り目線、前記ミシン目、前記ハーフカットなどを設けていない部分のように折ることができる場合、該前板４あるいは該つまみ板６と該縁折板５を介している場合は全て含む。又、前記折り線、前記折り目線、前記ミシン目、前記ハーフカットなどを設けた部分、前記折り線、前記折り目線、前記ミシン目、前記ハーフカットなどを設けていない部分はそれぞれ１ヶ所に限定しなくてもよい。又、該回動手段９は回動線、ミシン目、ハーフカットなどを設けた部分、前記回動線、前記ミシン目、前記ハーフカットなどを設けた部分と前記回動線、前記ミシン目、前記ハーフカットなどを設けていない部分のように該回動手段９を中心にして該縁折板５、該つまみ板６が回動したときに該切れ目あるいは切り込み１０と該切れ目あるいは切り込み１０が繋がる形態になる場合は前記回動線、前記ミシン目、前記ハーフカットなどを設けていない部分を除いて全て含む。又、その場合、前記回動線、前記ミシン目、前記ハーフカットなどを設けていない部分は前記回動線、前記ミシン目、前記ハーフカットなどを設けた部分と前記回動線、前記ミシン目、前記ハーフカットなどを設けていない部分のうちの前記回動線、前記ミシン目、前記ハーフカットなどを設けていない部分を含まない。又、前記回動線とは中心にして回動することができる部分を回動するために設ける凹状の線をいう。又、前記回動線、前記ミシン目、前記ハーフカットなどを設けた部分、前記回動線、前記ミシン目、前記ハーフカットなどを設けていない部分はそれぞれ１ヶ所に限定しなくてもよい。又、該回動手段９の形態はまっすぐな形態など、湾曲した形態などを含む。又、該回動手段９は１ヶ所に限定しなくてもよい。又、該つまみ板６とは該つまみ板６を形成したときに該折り手段８と該前板４及び／あるいは該折り手段８に有する繋がらない部分１１で囲まれる部分をいう。しかし、後記本発明の実施例においては説明しないが、例えば、後記本発明の実施例１においては該つまみ板６とは該縁折板５を含んだ形態で該折り手段８、該回動手段９、該切れ目あるいは切り込み１０、該繋がらない部分１１で囲まれる部分と捉えることができるし、後記本発明の実施例３においては該つまみ板６とは該回動手段９、該切れ目あるいは切り込み１０、該繋がらない部分１１で囲まれる部分と捉えることができる。そのときは後記本発明の実施例においては説明しないが、該つまみ板６の定義などをそれぞれ前記捉えることができる場合に置き換えて捉えることができるものとする。又、該つまみ板６の略端部とは該繋がらない部分１１の該つまみ板６側の部分、該切れ目あるいは切り込み１０を除いた部分をいう。しかし、後記本発明の実施例においては説明しないが、例えば、後記本発明の実施例３においては該つまみ板６の略端部とは該縁折板５を含んだ形態で該繋がらない部分１１の該つまみ板６側の部分、該切れ目あるいは切り込み１０の他方の該切れ目あるいは切り込み１０側の部分と捉えることができる。そのときは後記本発明の実施例においては説明しないが、該つまみ板６の略端部の定義などを前記捉えることができる場合に置き換えて捉えることができるものとする。又、該繋がらない部分１１は該縁折板５を押した形態で該前板４に設けた切れ目を破断して形成してもよいし、該縁折板５を押した形態で該前板４に設けたミシン目を破断した部分と該前板４及び／あるいは該折り手段８に設けた切り込みで形成してもよい。又、該繋がらない部分１１は１ヶ所に限定しなくてもよい。又、該切れ目あるいは切り込み１０、該繋がらない部分１１の形態はまっすぐな形態などにしてもよいし、湾曲した形態などにしてもよい。又、該切れ目あるいは切り込み１０は１ヶ所に限定しなくてもよい。
【００１９】
又、本発明は、折り手段８を介して前板４を覆う縁折板５が該前板４の上端縁に連接して、回動手段９を該縁折板５に該前板４から該折り手段８を介して該縁折板５に渡るまでの間で該前板４のつまみ板６の略端部と点で接しない形態でそれぞれ設けた切れ目あるいは切り込み１０と該切れ目あるいは切り込み１０が該回動手段９を中心にして該縁折板５、該つまみ板６が回動したときに繋がる形態で設けたフィルム収納箱にしてもよい。
【００２０】
又、本発明は、折り手段８を介して前板４を覆う縁折板５が該前板４の上端縁に連接して、回動手段９を該前板４から該折り手段８を介して該縁折板５に渡って該前板４のつまみ板６の略端部と接する形態でそれぞれ設けた切れ目あるいは切り込み１０と該切れ目あるいは切り込み１０が該回動手段９を中心にして該縁折板５、該つまみ板６が回動したときに繋がる形態で設けたフィルム収納箱にしてもよい。
【００２１】
又、本発明は、該縁折板５が該前板４に貼り合わせて有るフィルム収納箱にしてもよい。
【００２２】
又、本発明は、フィルムがラップフィルムであるフィルム収納箱にしてもよい。
【実施例１】
【００２３】
本発明の実施例１においては図１〜図５に示すように折り手段８を介して前板４を覆う縁折板５が該前板４の上端縁に連接して、該縁折板５が該前板４に貼り合わせて有り、回動手段９を該縁折板５に該前板４から該折り手段８を介して該縁折板５に渡るまでの間で該前板４のつまみ板６の略端部と接しない形態でそれぞれ設けた切れ目あるいは切り込み１０と該切れ目あるいは切り込み１０が該回動手段９を中心にして該縁折板５、該つまみ板６が回動したときに繋がる形態で設けたフィルム収納箱に係わる。又、本発明の実施例１においてはフィルムがラップフィルムであるフィルム収納箱に係わる。又、本発明の実施例１においては図においてはフィルム収納箱に収納して有るラップフィルムロール、前記ラップフィルムロールから引き出して有るラップフィルムは省略する。
【００２４】
図１６〜図２０に示す従来のフィルム収納箱においてはフィルム収納箱の蓋７を開いた形態で該フィルム収納箱の前板４のつまみ板６の表面に有するフィルム仮留め部１２に仮留めして有るラップフィルムの先端部をつまむときに前記仮留めして有るラップフィルムの先端部が該前板４に付いて、前記仮留めして有るラップフィルムの先端部をつまみにくいときがある。又、図１９、図２０に示すように前記つまみにくいときに該つまみ板６の略端部に引っ掛けて該つまみ板６を該前板４と該フィルム収納箱の縁折板５を介する折り手段８を中心にして回動する。そのときに該つまみ板６の略端部に引っ掛けにくいときがある。
【００２５】
しかし、本発明の実施例１においては図１〜図５に示すように折り手段８を介して前板４を覆う縁折板５が該前板４の上端縁に連接して、該縁折板５が該前板４に貼り合わせて有り、回動手段９を該縁折板５に該前板４から該折り手段８を介して該縁折板５に渡るまでの間で該前板４のつまみ板６の略端部と接しない形態でそれぞれ設けた切れ目あるいは切り込み１０と該切れ目あるいは切り込み１０が該回動手段９を中心にして該縁折板５、該つまみ板６が回動したときに繋がる形態で設けたことで、フィルム収納箱１の蓋７を開いた形態で図４、図５に示すように該縁折板５を押すと、該縁折板５を押したことと連動して該回動手段９を中心にして該縁折板５、該つまみ板６が回動して突出するため、該フィルム収納箱１において、簡単に該つまみ板６の表面に有するフィルム仮留め部１２に仮留めして有るラップフィルムの先端部をつまむことができる。
【００２６】
又、本発明の実施例１は低コストで実現することができるため、材料費のコストダウンを図ることができる。
【実施例２】
【００２７】
本発明の実施例２においては図６〜図１０に示すように折り手段８を介して前板４を覆う縁折板５が該前板４の上端縁に連接して、該縁折板５が該前板４に貼り合わせて有り、回動手段９を該縁折板５に該前板４から該折り手段８を介して該縁折板５に渡るまでの間で該前板４のつまみ板６の略端部と点で接しない形態でそれぞれ設けた切れ目あるいは切り込み１０と該切れ目あるいは切り込み１０が該回動手段９を中心にして該縁折板５、該つまみ板６が回動したときに繋がる形態で設けたフィルム収納箱に係わる。又、本発明の実施例２においてはフィルムがラップフィルムであるフィルム収納箱に係わる。又、本発明の実施例２においては図においてはフィルム収納箱に収納して有るラップフィルムロール、前記ラップフィルムロールから引き出して有るラップフィルムは省略する。
【００２８】
図２１〜図２５に示す従来のフィルム収納箱においてはフィルム収納箱の蓋７を開いた形態で該フィルム収納箱の前板４のつまみ板６に付いているラップフィルムの先端部をつまむときに前記付いているラップフィルムの先端部が該前板４に付いて、前記付いているラップフィルムの先端部をつまみにくいときがある。又、図２４、図２５に示すように前記つまみにくいときに該つまみ板６の略端部に引っ掛けて該つまみ板６を該前板４と該フィルム収納箱の縁折板５を介する折り手段８を中心にして回動する。そのときに該つまみ板６の略端部に引っ掛けにくいときがある。
【００２９】
しかし、本発明の実施例２においては図６〜図１０に示すように折り手段８を介して前板４を覆う縁折板５が該前板４の上端縁に連接して、該縁折板５が該前板４に貼り合わせて有り、回動手段９を該縁折板５に該前板４から該折り手段８を介して該縁折板５に渡るまでの間で該前板４のつまみ板６の略端部と点で接しない形態でそれぞれ設けた切れ目あるいは切り込み１０と該切れ目あるいは切り込み１０が該回動手段９を中心にして該縁折板５、該つまみ板６が回動したときに繋がる形態で設けたことで、フィルム収納箱２の蓋７を開いた形態で図９、図１０に示すように該つまみ板６を押すと、該つまみ板６を押したことと連動して前記点で接しない部分、該切れ目あるいは切り込み１０の順にそれぞれ破断してあるいは前記点で接しない部分をそれぞれ破断して、該回動手段９を中心にして該縁折板５、該つまみ板６が回動して、該縁折板５を押すと、該縁折板５を押したことと連動して該回動手段９を中心にして該縁折板５、該つまみ板６が回動して突出するため、該フィルム収納箱２において、簡単に該つまみ板６に付いているラップフィルムの先端部をつまむことができる。
【００３０】
又、本発明の実施例２は低コストで実現することができるため、材料費のコストダウンを図ることができる。
【実施例３】
【００３１】
本発明の実施例３においては図１１〜図１５に示すように折り手段８を介して前板４を覆う縁折板５が該前板４の上端縁に連接して、該縁折板５が該前板４に貼り合わせて有り、回動手段９を該縁折板５に該前板４から該折り手段８を介して該縁折板５に渡って該前板４のつまみ板６の略端部と接する形態でそれぞれ設けた切れ目あるいは切り込み１０と該切れ目あるいは切り込み１０が該回動手段９を中心にして該縁折板５、該つまみ板６が回動したときに繋がる形態で設けたフィルム収納箱に係わる。又、本発明の実施例３においてはフィルムがラップフィルムであるフィルム収納箱に係わる。又、従来のフィルム収納箱においての説明は本発明の実施例２と同様であるため、省略する。又、本発明の実施例３においては図においてはフィルム収納箱に収納して有るラップフィルムロール、前記ラップフィルムロールから引き出して有るラップフィルムは省略する。
【００３２】
本発明の実施例３においては図１１〜図１５に示すように折り手段８を介して前板４を覆う縁折板５が該前板４の上端縁に連接して、該縁折板５が該前板４に貼り合わせて有り、回動手段９を該縁折板５に該前板４から該折り手段８を介して該縁折板５に渡って該前板４のつまみ板６の略端部と接する形態でそれぞれ設けた切れ目あるいは切り込み１０と該切れ目あるいは切り込み１０が該回動手段９を中心にして該縁折板５、該つまみ板６が回動したときに繋がる形態で設けたことで、フィルム収納箱３の蓋７を開いた形態で図１４、図１５に示すように該つまみ板６を押すと、該つまみ板６を押したことと連動して該切れ目あるいは切り込み１０をそれぞれ破断してあるいは前記それぞれ破断することがなく、該回動手段９を中心にして該縁折板５、該つまみ板６が回動して、該縁折板５を押すと、該縁折板５を押したことと連動して該回動手段９を中心にして該縁折板５、該つまみ板６が回動して突出するため、該フィルム収納箱３において、簡単に該つまみ板６に付いているラップフィルムの先端部をつまむことができる。
【００３３】
又、本発明の実施例３は低コストで実現することができるため、材料費のコストダウンを図ることができる。
【産業上の利用可能性】
【００３４】
本発明は、使い勝手がよい構成を低コストで実現することができるため、市場における拡販及び利便性の向上を期待することができる。
【符号の説明】
【００３５】
１    フィルム収納箱
２    フィルム収納箱
３    フィルム収納箱
４    前板
５    縁折板
６    つまみ板
７    蓋
８    折り手段
９    回動手段
１０  切れ目あるいは切り込み
１１  繋がらない部分
１２  フィルム仮留め部
【要約】
【課題】
フィルム収納箱の蓋を開いた形態で前記フィルム収納箱の前板のつまみ板の表面に有するフィルム仮留め部に仮留めして有るフィルムの先端部をつまむときに前記仮留めして有るフィルムの先端部が前記前板に付いて、前記仮留めして有るフィルムの先端部をつまみにくいときがある。又、前記つまみにくいときに前記つまみ板の略端部に引っ掛けて前記つまみ板を前記前板と前記フィルム収納箱の縁折板を介する折り手段を中心にして回動する。そのときに前記つまみ板の略端部に引っ掛けにくいときがある。
【解決手段】
折り手段を介して前板を覆う縁折板が該前板の上端縁に連接して、回動手段を該縁折板に該前板から該折り手段を介して該縁折板に渡るまでの間で該前板のつまみ板の略端部と接しない形態でそれぞれ設けた切れ目あるいは切り込みと該切れ目あるいは切り込みが該回動手段を中心にして該縁折板、該つまみ板が回動したときに繋がる形態で設けた構成。
【選択図】図５【図１】
0004673442.tif 000002
【図２】
0004673442.tif 000003
【図３】
0004673442.tif 000004
【図４】
0004673442.tif 000005
【図５】
0004673442.tif 000006
【図６】
0004673442.tif 000007
【図７】
0004673442.tif 000008
【図８】
0004673442.tif 000009
【図９】
0004673442.tif 000010
【図１０】
0004673442.tif 000011
【図１１】
0004673442.tif 000012
【図１２】
0004673442.tif 000013
【図１３】
0004673442.tif 000014
【図１４】
0004673442.tif 000015
【図１５】
0004673442.tif 000016
【図１６】
0004673442.tif 000017
【図１７】
0004673442.tif 000018
【図１８】
0004673442.tif 000019
【図１９】
0004673442.tif 000020
【図２０】
0004673442.tif 000021
【図２１】
0004673442.tif 000022
【図２２】
0004673442.tif 000023
【図２３】
0004673442.tif 000024
【図２４】
0004673442.tif 000025
【図２５】
0004673442.tif 000026